(57)【要約】【課題】ユーザーの誤操作を検出して報知し、ユーザーに容易に正常操作を行わせる技術を提供する。【解決手段】ＩｒＤＡ信号を受信するＩｒＤＡ受信部３２に隣接して、リモコン信号検出部３３が配置され、赤外線リモコン信号を受信するリモコン受信部３４に隣接して、ＩｒＤＡ信号検出部３５が配置される。そして、リモコン信号検出部３３でリモコン信号が検出されると、誤操作判定部２５ｂによってユーザーの誤操作有りと判定され、誤操作有りの表示とともに正常操作に誘導するための説明用画像が表示部２２に表示される。またＩｒＤＡ信号検出部３５でＩｒＤＡ信号が検出されると、同様にユーザーの誤操作有りと判定され、誤操作有りの表示および説明用画像が表示部２２に表示される。【選択図】図２
2010184402.tif 000002
【特許請求の範囲】
【請求項１】
赤外線リモコンから送信されるリモコン信号を受信するリモコン受信部と、
ＩｒＤＡ通信機器から送信されるＩｒＤＡ信号を受信するＩｒＤＡ受信部と、
前記リモコン受信部と隣接して配置され、前記ＩｒＤＡ信号を受信可能なＩｒＤＡ信号検出部と、
ユーザーに対して所定の報知を行う報知手段と、
前記ＩｒＤＡ信号検出部が前記ＩｒＤＡ信号を検出した場合に、ユーザーの誤操作有りと判定する判定手段と、
前記判定手段によるユーザーの誤操作有りとの判定の場合に、前記報知手段を制御して誤操作有りの報知を行わせる制御手段とを備えることを特徴とする情報処理装置。
【請求項２】
赤外線リモコンから送信されるリモコン信号を受信するリモコン受信部と、
ＩｒＤＡ通信機器から送信されるＩｒＤＡ信号を受信するＩｒＤＡ受信部と、
前記ＩｒＤＡ受信部と隣接して配置され、前記リモコン信号可能なリモコン信号検出部と、
ユーザーに対して所定の報知を行う報知手段と、
前記リモコン信号検出部が前記リモコン信号を検出した場合に、ユーザーの誤操作有りと判定する判定手段と、
前記判定手段によるユーザーの誤操作有りとの判定の場合に、前記報知手段を制御して誤操作有りの報知を行わせる制御手段とを備えることを特徴とする情報処理装置。
【請求項３】
前記ＩｒＤＡ信号検出部は、前記ＩｒＤＡ信号に含まれるＢＯＦ部を検出することを特徴とする請求項１記載の情報処理装置。
【請求項４】
前記リモコン信号検出部は、前記リモコン信号に含まれるリーダーコード部を検出することを特徴とする請求項２記載の情報処理装置。
【請求項５】
前記判定手段は、前記ＩｒＤＡ信号検出部による前記ＩｒＤＡ信号の受信により動作を開始し前記ＩｒＤＡ受信部による前記ＩｒＤＡ信号の受信により動作を停止するタイマーを備え、前記タイマーが前記ＢＯＦ部の送信時間内に停止しなかったときに誤操作有りと判定することを特徴とする請求項３記載の情報処理装置。
【請求項６】
前記判定手段は、前記リモコン信号検出部による前記リモコン信号の受信により動作を開始し前記リモコン受信部による前記リモコン信号の受信により動作を停止するタイマーを備え、前記タイマーが前記リーダーコード部の送信時間内に停止しなかったときに誤操作有りと判定することを特徴とする請求項４記載の情報処理装置。
【請求項７】
請求項１ないし６のいずれかに記載の情報処理装置、および、前記報知手段として画像による誤操作有りの表示報知を行う機能を有する表示手段を備えることを特徴とする印刷装置。
【請求項８】
前記制御手段は、前記表示手段に、ユーザーを正常操作に誘導するための説明用画像を表示することを特徴とする請求項７記載の印刷装置。
【発明の詳細な説明】
【技術分野】
【０００１】
この発明は、赤外線リモコンおよびＩｒＤＡの入出力インターフェースを持つ情報処理装置および該装置を備えた印刷装置に関するものである。
【背景技術】
【０００２】
従来、印刷装置は、外部のホストコンピューターと接続して印刷データを受信し、印刷動作を実行するものに限らず、画像データを記憶した半導体メモリーや、携帯電話、デジタルカメラなどの外部接続機器を印刷装置に直接接続してデータを読み込み、印刷装置において印刷用のデータを生成して自ら印刷動作を実行可能とする、いわゆるスタンドアロンプリンターが構成されている（特許文献１参照）。また、上記したような外部接続機器と印刷装置との接続はケーブルによる接続に限らず、例えば赤外線通信により、外部接続機器である携帯電話やデジタルカメラなどから印刷装置本体にデータを転送したり、リモコンにより印刷装置の操作を行う技術が知られている（特許文献２参照）。そして、このような赤外線通信は、赤外線通信技術の発達により、従来からの赤外線通信方式や、新しく開発された高速の赤外線通信方式など種々の方式があり、一台の印刷装置において用途ごとに複数の赤外線通信方式が使用されることもある。例えば、特許文献２に記載の装置では、「従来からの通信方式」と「ＩｒＤＡ（Ｉｎｆｒａｒｅｄ  Ｄａｔａ  Ａｓｓｏｃｉａｔｉｏｎ）方式」の両方式が採用されている。
【先行技術文献】
【特許文献】
【０００３】
【特許文献１】特開２００５−３０５８７０号公報（段落００２０、図１など）
【特許文献２】特開２００８−３６８８４号公報（段落００３１、００７４〜００８５、図１、図７など）
【発明の概要】
【発明が解決しようとする課題】
【０００４】
ところで、上記したように複数の赤外線通信方式が採用されると、印刷装置にはそれぞれの通信方式に対応した構成が必要となる。例えば、一台の印刷装置において、印刷装置のリモコンとの通信用に「従来からの通信方式」が採用され、携帯電話などの電子機器との通信用に「ＩｒＤＡ方式」が採用された場合、「従来からの通信方式」のリモコン信号を受信するリモコン受信部と、「ＩｒＤＡ方式」のＩｒＤＡ信号を受信するＩｒＤＡ受信部が、それぞれ独立して配置される。このとき、ユーザーが誤った受信部に対して通信を開始すると、通信エラーが発生し、ユーザーが行おうとしている操作が正常に完了しないこととなる。例えば、「ＩｒＤＡ方式」が採用されたカメラ付き携帯電話から印刷装置に画像を転送するときに、「従来からの通信方式」に対応したリモコン受信部に向けて画像データが送信されると、リモコン受信部ではＩｒＤＡ信号は受信されず、通信エラーが発生する。また、ユーザー自身が、誤った受信部に向けて画像データを送信していることに気付かず、誤操作を繰り返すというおそれもある。
【０００５】
この発明は、上記課題に鑑みなされたものであり、ユーザーの誤操作を検出して報知し、ユーザーに容易に正常操作を行わせる技術を提供することを目的とする。
【課題を解決するための手段】
【０００６】
この発明にかかる情報処理装置は、上記目的を達成するため、赤外線リモコンから送信されるリモコン信号を受信するリモコン受信部と、ＩｒＤＡ通信機器から送信されるＩｒＤＡ信号を受信するＩｒＤＡ受信部と、前記リモコン受信部と隣接して配置され、前記ＩｒＤＡ信号を受信可能なＩｒＤＡ信号検出部と、ユーザーに対して所定の報知を行う報知手段と、前記ＩｒＤＡ信号検出部が前記ＩｒＤＡ信号を検出した場合に、ユーザーの誤操作有りと判定する判定手段と、前記判定手段によるユーザーの誤操作有りとの判定の場合に、前記報知手段を制御して誤操作有りの報知を行わせる制御手段とを備えることを特徴としている。
【０００７】
このように構成された発明では、リモコン受信部と隣接してＩｒＤＡ信号検出部が配置されるので、リモコン受信部に向けてユーザーがＩｒＤＡ信号を送信した場合であっても、ＩｒＤＡ信号検出部によりＩｒＤＡ信号が検出されて、ユーザーがリモコン受信部に向けてＩｒＤＡ信号を送信しているという誤操作が有ることを容易に判定することができる。また、ユーザーに対して誤操作有りが報知されるので、ユーザーはリモコン受信部にＩｒＤＡ信号を誤って送信したことを容易に認識することができる。
【０００８】
この発明にかかる情報処理装置は、上記目的を達成するため、赤外線リモコンから送信されるリモコン信号を受信するリモコン受信部と、ＩｒＤＡ通信機器から送信されるＩｒＤＡ信号を受信するＩｒＤＡ受信部と、前記ＩｒＤＡ受信部と隣接して配置され、前記リモコン信号可能なリモコン信号検出部と、ユーザーに対して所定の報知を行う報知手段と、前記リモコン信号検出部が前記リモコン信号を検出した場合に、ユーザーの誤操作有りと判定する判定手段と、前記判定手段によるユーザーの誤操作有りとの判定の場合に、前記報知手段を制御して誤操作有りの報知を行わせる制御手段とを備えることを特徴としている。
【０００９】
このように構成された発明では、ＩｒＤＡ受信部と隣接してリモコン信号検出部が配置されるので、ＩｒＤＡ受信部に向けてユーザーがリモコン信号を送信した場合であっても、リモコン信号検出部によりリモコン信号が検出されて、ユーザーがＩｒＤＡ受信部に向けてリモコン信号を送信しているという誤操作が有ることを容易に判定することができる。また、ユーザーに対して誤操作有りが報知されるので、ユーザーはＩｒＤＡ受信部にリモコン信号を誤って送信したことを容易に認識することができる。
【００１０】
また、前記ＩｒＤＡ信号検出部は、前記ＩｒＤＡ信号に含まれるＢＯＦ部を検出するようにしてもよい。こうすると、ＩｒＤＡ信号検出部は、ＩｒＤＡ信号には含まれるがリモコン信号には含まれないＢＯＦ部を検出するので、ＩｒＤＡ信号検出部がリモコン受信部と隣接して配置されていても、ＩｒＤＡ信号検出部により容易にＩｒＤＡ信号を検出することができる。また、ＢＯＦ部は送信されるＩｒＤＡ信号のフレームの先頭部分であり、ＩｒＤＡ信号検出部により最初に受信される部分であるため、ユーザーの誤操作有りを素早く判定することができる。
【００１１】
また、前記リモコン信号検出部は、前記リモコン信号に含まれるリーダーコード部を検出するようにしてもよい。こうすると、リモコン信号検出部は、リモコン信号には含まれるがＩｒＤＡ信号には含まれないリーダーコード部を検出するので、リモコン信号検出部がＩｒＤＡ受信部と隣接して配置されていても、リモコン信号検出部により容易にリモコン信号を検出することができる。また、リーダーコード部は送信されるリモコン信号のフレームの先頭部分であり、リモコン信号検出部により最初に受信される部分であるため、ユーザーの誤操作有りを素早く判定することができる。
【００１２】
また、前記判定手段は、前記ＩｒＤＡ信号検出部による前記ＩｒＤＡ信号の受信により動作を開始し前記ＩｒＤＡ受信部による前記ＩｒＤＡ信号の受信により動作を停止するタイマーを備え、前記タイマーが前記ＢＯＦ部の送信時間内に停止しなかったときに誤操作有りと判定するようにしてもよい。こうすると、タイマーがＢＯＦ部の送信時間内に停止しなかったときに誤操作有りと判定されるので、ユーザーの誤操作有りを素早く判定することができる。
【００１３】
また、前記判定手段は、前記リモコン信号検出部による前記リモコン信号の受信により動作を開始し前記リモコン受信部による前記リモコン信号の受信により動作を停止するタイマーを備え、前記タイマーが前記リーダーコード部の送信時間内に停止しなかったときに誤操作有りと判定するようにしてもよい。こうすると、タイマーがリーダーコード部の送信時間内に停止しなかったときに誤操作有りと判定されるので、ユーザーの誤操作有りを素早く判定することができる。
【００１４】
また、この発明にかかる印刷装置は、上記目的を達成するため、前記情報処理装置、および、前記報知手段として画像による誤操作有りの表示報知を行う機能を有する表示手段を備えることを特徴としている。こうすると、リモコン信号やＩｒＤＡ信号の誤操作を行っていることをユーザー自身が容易に認識することができる印刷装置を提供することができる。また、表示手段に誤操作が有る旨が表示されるので、ユーザーは容易に誤操作を行っていることを確認することができる。
【００１５】
また、前記制御手段は、前記表示手段に、ユーザーを正常操作に誘導するための説明用画像を表示するようにしてもよい。こうすると、誤操作を認識したユーザーは、説明用画像の説明に従って容易に正常な操作を行うことができる。
【図面の簡単な説明】
【００１６】
【図１】本発明の一実施形態であるフォトプリンターを示す斜視図。
【図２】図１のフォトプリンターの制御系を示すブロック図。
【図３】ＩｒＤＡ信号のユーザー誤操作判定処理を示すフローチャート。
【図４】図３の判定処理の一部を示すフローチャート。
【図５】図３の判定処理の一部を示すフローチャート。
【図６】図３の判定処理の一部を示すフローチャート。
【図７】報知画像の一例を示す図。
【図８】リモコン信号のユーザー誤操作判定処理を示すフローチャート。
【図９】図８の判定処理の一部を示すフローチャート。
【図１０】図８の判定処理の一部を示すフローチャート。
【図１１】図８の判定処理の一部を示すフローチャート。
【発明を実施するための形態】
【００１７】
図１は本発明の一実施形態であるフォトプリンターを示す斜視図である。また、図２は図１のフォトプリンターの制御系を示すブロック図である。また、図３はＩｒＤＡ信号のユーザー誤操作判定処理を示すフローチャートである。また、図４ないし図６は図３の判定処理の一部を示すフローチャートである。また、図７は報知画像の一例を示す図である。また、図８はリモコン信号のユーザー誤操作判定処理を示すフローチャートである。また、図９ないし図１１は図８の判定処理の一部を示すフローチャートである。
【００１８】
１．装置構成
本発明の「情報処理装置」を備えた「印刷装置」としてのフォトプリンター１は、図１および図２に示すように、プリンター本体２の内部にプリント機構５（図２参照）を内蔵し、プリント機構５は、フォトプリンター１の全体の制御を司るコントローラー１０（図２参照）からの動作指令に応じて用紙Ｐへの印刷を実行する。そして、印刷された用紙がプリンター本体２の前面に排紙される。
【００１９】
このプリンター本体２の前面には、図１に示すように、前面扉１１が開閉自在に取り付けられている。この前面扉１１はプリンター本体２の前面を開閉するための蓋である。そして、開状態のときには、プリント機構５から排紙される用紙Ｐを受けるための排紙トレイとして機能する。また、前面扉１１が開状態のとき、プリンター本体２の前面に設けられた各種のメモリーカードスロット１３が利用可能な状態となる。つまり、この状態でユーザーは印刷対象となる画像ファイルを記憶したメモリーカードＭをメモリーカードスロット１３に差し込むことができる。なお、画像ファイルデータを記憶する外部媒体としてはメモリーカードに限定されず、ＵＳＢメモリーやディスク媒体など他のものであってもよい。
【００２０】
また、前面扉１１が開状態のときには、プリンター本体２の全面に設けられたＩｒＤＡ通信部１５が利用可能となり、画像を記憶したデジタルカメラや携帯電話などの電子機器１８をフォトプリンター１に赤外線を利用した通信によって接続し、外部媒体として機能させることもできる。つまり、この状態でユーザーは携帯電話などの電子機器１８が備えているＩｒＤＡ通信方式により、電子機器１８からフォトプリンター１にファイル転送などの通信操作を行うことができる。
【００２１】
また、プリンター本体２前面の前面扉１１の近傍にはリモコン通信部１６が配設され、ユーザーは赤外線リモコン１９からリモコン通信部１６に向けて従来からの赤外線通信方式によりフォトプリンター１を操作することができる。なお、ＩｒＤＡ通信部１５、リモコン通信部１６については、後に詳しく説明する。
【００２２】
また、プリンター本体２の上面には操作パネル２０が設けられる一方、プリンター本体２の上面の奥の一辺に対してカバー２１が開閉自在に取り付けられている。このカバー２１は、プリンター本体２の上面を覆うことのできる大きさに成形された樹脂板であり、開状態では操作パネル２０の表面を外部に露出する（図１参照）。一方、カバー２１が閉状態に閉じられると、操作パネル２０全体を覆う。
【００２３】
この操作パネル２０には、文字や図形、記号などを表示する例えばＬＣＤディスプレイにより構成された表示部２２と、この表示部２２の周囲に配置されたボタン群２３とを備えている。ボタン群２３は、電源のオンオフを行うための電源ボタン、メインメニュー画面を呼び出すためのメニューボタン、操作を途中でキャンセルしたり用紙Ｐへの印刷を途中で中断したりするためのキャンセルボタン、用紙Ｐへの印刷実行を指示するための印刷ボタン、メモリーカードスロット１３に挿入されたメモリーカードＭに編集画像などを保存するための保存ボタン、表示部２２に表示された複数の選択肢の中から所望の選択肢を選択したりカーソルを移動したりするときに操作される上下左右の各矢印ボタン、この上下左右の各矢印ボタンの中央に配置され各矢印ボタンによって選択されている選択肢に決定したことを指示するためのＯＫボタン、表示部２２での画面表示を切り替えるための表示切替ボタン、表示部２２に表示される左ガイドを選択する左ガイド選択ボタン、表示部２２に表示される右ガイドを選択する右ガイド選択ボタン、排紙トレイとしての機能を備えた前面扉１１を開く排紙トレイオープンボタンなどで構成されている。なお、表示部２２が本発明における報知手段、表示手段に相当する。
【００２４】
また、表示部２２の表示内容を確認するために、カバー２１には表示部２２と同じ大きさの窓２４が設けられている。つまり、カバー２１が閉状態にあるときにはユーザーはこの窓２４を介して表示部２２の表示内容を確認することができる。一方、カバー２１は開状態のときには、表示部２２を図１に示すように好みの角度に調整することが可能となっている。
【００２５】
このようにカバー２１を開状態としたときには、操作パネル２０に対して斜め後方に傾斜した状態でカバー２１は保持され、用紙Ｐをプリント機構５へ供給するためのトレイとして利用可能となっている。また、操作パネル２０の奥には、プリント機構５の給紙口５８が設けられるとともに、ガイド幅が用紙の幅に合うように左右方向にスライド操作される一対の用紙ガイド５９が設けられている。
【００２６】
そして、給紙口５８を介して用紙Ｐがプリント機構５に送り込まれて印刷が実行される。このプリント機構５には、図２に示すように、キャリッジ５３が左右方向にループ状に架け渡されたタイミングベルト５１により駆動されガイド５２に沿って左右に往復動する。このキャリッジ５３には、紙端検出センサ５７が設けられ、用紙Ｐの左右端や上下端を検出する。つまり、紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００２７】
また、このキャリッジ５３には、シアン・マゼンタ・イエロー・ブラックなどの各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒーターなど）に電圧をかけインクを加熱して発生した気泡によりインクを加圧する方式を採用してもよい。こうして印刷された用紙Ｐは搬送ローラー５６によって開状態の前面扉（排紙トレイ）１１へ送り出される。
【００２８】
また、図示を省略しているものの、プリンター本体２の背面にはバッテリーパックを装着可能となっており、商用電源に接続しなくともフォトプリンター１をバッテリーにより動作させることが可能となっている。この点およびフォトプリンター１がホストコンピュータに接続しなくても使用することができるスタンドアロンプリンターとなっている点により、フォトプリンター１は持ち運び容易でどこでも使用できるようになっている。
【００２９】
また、図２に示すように、コントローラー１０は、ＣＰＵ２５を中心として構成されており、ＩｒＤＡ通信部１５、リモコン通信部１６、各種プログラムや各種データ、各種テーブル、ユーザーに対する報知画像などを記憶したＲＯＭ２６、一時的にデータを記憶するＲＡＭ２７、プリント機構５やメモリーカードスロット１３、ＩｒＤＡ通信部１５、リモコン通信部１６などとの通信を可能とするインタフェース（図示省略）などを備えている。また、コントローラー１０は、プリント機構５の印刷ヘッド５５への制御信号や操作パネル２０の表示部２２への制御信号を出力する。なお、コントローラー１０が本発明における情報処理装置に相当する。
【００３０】
ＣＰＵ２５は、タイマー制御部２５ａ、誤操作判定部２５ｂ、フレーム受信制御部２５ｃ、報知制御部２５ｄとを備えている。タイマー制御部２５ａは、所定の時間動作を続けるように設計されたタイマー２８を備え、ＩｒＤＡ通信部１５やリモコン通信部１６で受信されたＩｒＤＡ信号やリモコン信号により、タイマー２８の動作開始および動作停止の制御を行う。誤操作判定部２５ｂは、タイマー２８の動作から、ユーザーが電子機器１８や赤外線リモコン１９をＩｒＤＡ通信部１５またはリモコン通信部１６に正しく向けて通信しているかどうかを判定する。この判定処理手順については、後に詳しく述べる。フレーム受信制御部２５ｃは、ＩｒＤＡ通信部１５、リモコン通信部１６を制御して、ＩｒＤＡ通信部１５、リモコン通信部１６からの受信信号に含まれるフレーム（データ群）を受信し、受信したフレームに含まれるデータをＲＡＭ２７に記憶する。また、報知制御部２５ｄは、誤操作判定部２５ｂによりユーザーが電子機器１８や赤外線リモコン１９の誤操作を行っていると判定されたときに、ＲＯＭ２６に記憶された報知画像の中から所定の報知画像を選択し、表示部２２に表示する制御を行う。また、ＣＰＵ２５はＲＯＭ２６に記憶されたプログラムを実行することにより、フォトプリンター１全体の制御を行うように構成されている。なお、誤操作判定部２５ｂ、報知制御部２５ｄが、それぞれ本発明における判定手段、制御手段に相当する。
【００３１】
ＩｒＤＡ通信部１５は、ＩｒＤＡ受信部３２と、赤外線リモコン１９からのリモコン信号を受信可能なリモコン信号検出部３３とを隣接して備えている。ＩｒＤＡ受信部３２は、電子機器１８からＩｒＤＡ通信方式で送信されたＩｒＤＡ信号を検出し、リモコン信号検出部３３は、ユーザーが誤って赤外線リモコン１９の操作をＩｒＤＡ通信部１５に向けて行った場合に、リモコン信号に含まれるリーダーコード部を検出する。また、リモコン通信部１６は、リモコン受信部３４と、電子機器１８からのＩｒＤＡ信号を受信可能なＩｒＤＡ信号検出部３５とを隣接して備えている。リモコン受信部３４は、赤外線リモコン１９から従来からの赤外線通信方式で送信されたリモコン信号を検出し、ＩｒＤＡ信号検出部３５は、ユーザーが誤って電子機器１８の操作をリモコン通信部１６に向けて行った場合に、ＩｒＤＡ信号に含まれるＢＯＦ部を検出する。そして、これらの検出結果から、ＣＰＵ２５がユーザーの誤操作有りを判定する。以下にその判定処理手順について詳しく説明する。
【００３２】
２．ユーザー誤操作の判定処理手順
（ＩｒＤＡ通信方式と従来からの赤外線通信方式）
はじめに、ＩｒＤＡ通信方式と従来からの赤外線通信方式について、簡単に説明する。ＩｒＤＡ通信方式では、送信されるフレームは一般に知られるように、ＢＯＦ部、Ａｄｄｒｅｓｓ部、Ｃｏｎｔｒｏｌ部、Ｉｎｆｏｒｍａｔｉｏｎ部、ＦＣＳ部、ＥＯＦ部によって構成され、この順に電子機器１８からフレームが送信される。また、フレーム開始コードであるＢＯＦ部は、８ｂｉｔの所定の信号パターンを有している。
【００３３】
また、従来からの赤外線通信方式では、送信されるフレームは一般に知られるように、リーダーコード部、カスタムコード部、データコード部、データコード反転部、ストップビット、フレームスペースによって構成され、この順に赤外線リモコン１９からフレームが送信される。また、フレーム開始コードであるリーダーコード部は、９ｍｓのＯＮ状態と４．５ｍｓのＯＦＦ状態の信号パターンを有している。
【００３４】
したがって、このようにＩｒＤＡ通信方式のフレーム開始コードであるＢＯＦ部と従来からの赤外線通信方式のフレーム開始コードであるリーダーコード部では信号パターンが異なるため、リモコン通信部１６にＩｒＤＡ信号が送信された場合、リモコン受信部３４ではＩｒＤＡ信号に含まれるＢＯＦ部は検出されず、ＩｒＤＡ信号検出部３５でＩｒＤＡ信号に含まれるＢＯＦ部が検出される。また、ＩｒＤＡ通信部１５にリモコン信号が送信された場合、ＩｒＤＡ受信部３２ではリモコン信号に含まれるリーダーコード部は検出されず、リモコン信号検出部３３でリモコン信号に含まれるリーダーコード部が検出されることとなる。
【００３５】
（ＩｒＤＡ信号のユーザー誤操作判定処理）
次に、ユーザーがＩｒＤＡ通信方式による電子機器１８からフォトプリンター１にＩｒＤＡ通信を行ったときの、ユーザーの誤操作を判定する処理手順を説明する。
【００３６】
図３は、ユーザーの誤操作によるＩｒＤＡ信号の判定処理手順を示している。ユーザーがＩｒＤＡ通信方式を採用した電子機器１８からフォトプリンター１のＩｒＤＡ通信部１６に向けて正常に通信を行い、ＩｒＤＡ受信部３２がＩｒＤＡ信号を受信すると（ステップＳ１０）、ＩｒＤＡフレーム受信割り込み処理が行われ（ステップＳ１１）、電子機器１８からのデータがフォトプリンター１に取り込まれる。しかし、ユーザーが誤って電子機器１８からフォトプリンター１のリモコン通信部１５に向けて通信を行い、ＩｒＤＡ信号検出部３５でＩｒＤＡ信号に含まれるＢＯＦ部が検出されると（ステップＳ１２）、ＣＰＵ２５はＩｒＤＡ信号検出割り込み処理を開始する（ステップＳ１３）。
【００３７】
図４に示すように、ＩｒＤＡ信号検出割り込み処理が開始すると、ＣＰＵ２５のフレーム受信制御部２５ｃはＩｒＤＡ受信部３２でのＩｒＤＡ信号の検出を停止し（ステップＳ２１）、タイマー制御部２５ａがタイマー２８の動作を開始する（ステップＳ２２）。
【００３８】
タイマー２８は、ＩｒＤＡ信号に含まれるＢＯＦ部が送信される時間と同じ長さの時間動作するように設計されている。そして、タイマー２８の動作時間内、つまりタイマー２８がタイマーアップする前に（ステップＳ１４）、ＩｒＤＡ受信部３２においてＩｒＤＡ信号が受信された場合には（ステップＳ１０）、ＣＰＵ２５はＩｒＤＡフレーム受信割り込み処理を開始する（ステップＳ１１）。そして、図５に示すように、タイマー制御部２５ａはタイマー２８の動作を停止し（ステップＳ２３）、続いてフレーム受信制御部２５ｃがＩｒＤＡ受信部３２でのＩｒＤＡ信号の検出を開始し（ステップＳ２４）、ＩｒＤＡ信号を受信して、受信したＩｒＤＡ信号に含まれるデータをＲＡＭ２７へ保存する（ステップＳ２５）。
【００３９】
しかし、タイマー２８の動作時間内にＩｒＤＡ受信部３２がＩｒＤＡ信号を受信しない場合には、タイマー２８がタイマーアップし（ステップＳ１４）、ＣＰＵ２５はＩｒＤＡ信号検出判定タイマーアップ割り込み処理を開始する（ステップＳ１５）。そして、図６に示すように、誤操作判定部２５ｂにタイマーアップがあった旨が通知され（ステップＳ２６）、誤操作判定部２５ｂは、「ユーザーがリモコン受信部にＩｒＤＡ信号を送信している」というタイプ１の誤操作有りと判定する（ステップＳ２７）。そして、報知制御部２５ｄによりＲＯＭ２６からタイプ１の誤操作に対応した報知画像が選択され、表示部２２に表示される（ステップＳ２８）。報知画像は、一例として、図７に示すように、ユーザーが誤操作を行っている旨と、ユーザーが電子機器を１８をＩｒＤＡ通信部１５に向けて操作を行うように正しい送信位置に誘導する画像を含んでおり、ユーザーは報知画像に従って正常な操作を行うことが可能となる。なお、報知画像は、図７に示したように、ユーザーに確認を求めるボタン４０を備え、ユーザーが報知画像を確認した場合には、次の操作へ誘導する画像や正常操作が行われた旨を表示する画像を表示することとしてもよい。
【００４０】
そして、ユーザーにより正常な操作が行われると、ＩｒＤＡ受信部３２が再びＩｒＤＡ信号の検出を開始し（Ｓ１０）、ＩｒＤＡ受信部３２においてＩｒＤＡ信号が受信された場合には、ＩｒＤＡフレーム受信割り込み処理が開始する（ステップＳ１１）。そして、再び図５に示すようにフレーム受信制御部２５ｃがＩｒＤＡ受信部３２でのＩｒＤＡ信号の検出を開始し（ステップＳ２４）、ＩｒＤＡ信号を受信して、受信したＩｒＤＡ信号に含まれるデータをＲＡＭ２７へ保存する（ステップＳ２５）。なお、このとき、タイマー２８が動作を開始していなければ、図５に示したステップＳ２３は省略される。
【００４１】
（リモコン信号のユーザー誤操作判定処理）
次に、ユーザーがリモコン通信方式による赤外線リモコン１９からフォトプリンター１に従来からの赤外線通信を行ったときの、ユーザーの誤操作を判定する処理手順を説明する。
【００４２】
図８は、ユーザーの誤操作によるリモコン信号の判定処理手順を示している。ユーザーが従来からの赤外線通信方式を採用した赤外線リモコン１９からフォトプリンター１のリモコン通信部１５に向けて正常に通信を行い、リモコン受信部３４がリモコン信号を受信すると（ステップＳ３０）、赤外線リモコンフレーム受信割り込み処理が行われ（ステップＳ３１）、赤外線リモコン１９からのデータがフォトプリンター１に取り込まれる。しかし、ユーザーが誤って赤外線リモコン１９からフォトプリンター１のＩｒＤＡ通信部１６に向けて通信を行い、リモコン信号検出部３３でリモコン信号に含まれるリーダーコード部が検出されると（ステップＳ３２）、ＣＰＵ２５は赤外線リモコン信号検出割り込み処理を開始する（ステップＳ３３）。
【００４３】
図９に示すように、赤外線リモコン信号検出割り込み処理が開始すると、ＣＰＵ２５のフレーム受信制御部２５ｃはリモコン受信部３４でのリモコン信号の検出を停止し（ステップＳ４１）、タイマー制御部２５ａがタイマー２８の動作を開始する（ステップＳ４２）。
【００４４】
タイマー２８は、リモコン信号に含まれるリーダーコード部の送信される時間と同じ長さの時間動作するように設計されている。そして、タイマー２８の動作時間内、つまりタイマー２８がタイマーアップする前に（ステップＳ３４）、リモコン受信部３４においてリモコン信号が受信された場合には（ステップＳ３０）、ＣＰＵ２５は赤外線リモコンフレーム受信割り込み処理を開始する（ステップＳ３１）。そして、図１０に示すように、タイマー制御部２５ａはタイマー２８の動作を停止し（ステップＳ４３）、続いてフレーム受信制御部２５ｃがリモコン受信部３４でのリモコン信号の検出を開始し（ステップＳ４４）、リモコン信号を受信して、受信したリモコン信号に含まれるデータをＲＡＭ２７へ保存する（ステップＳ４５）。
【００４５】
しかし、タイマー２８の動作時間内にリモコン受信部３４がリモコン信号を受信しない場合には、タイマー２８がタイマーアップし（ステップＳ３４）、ＣＰＵ２５はリモコン信号検出判定タイマーアップ割り込み処理を開始する（ステップＳ３５）。そして、図１１に示すように、誤操作判定部２５ｂにタイマーアップがあった旨が通知され（ステップＳ４６）、誤操作判定部２５ｂは、「ユーザーがＩｒＤＡ受信部にリモコン信号を送信している」というタイプ２の誤操作有りと判定する（ステップＳ４７）。そして、報知制御部２５ｄによりＲＯＭ２６からタイプ２の誤操作に対応した報知画像が選択され、表示部２２に表示される（ステップＳ４８）。報知画像は、上記したＩｒＤＡ信号のユーザー誤操作判定処理と同様に、ユーザーが誤操作を行っている旨や、ユーザーが赤外線リモコン１９をリモコン通信部１６に向けて操作を行うように正しい送信位置に誘導する画像や、ユーザーに確認を求めるボタンなどを含む画像であってもよい。
【００４６】
そして、ユーザーにより正常な操作が行われると、リモコン受信部３４が再びリモコン信号の検出を開始し（Ｓ３０）、リモコン受信部３４においてリモコン信号が受信された場合には、リモコンフレーム受信割り込み処理が開始する（ステップＳ３１）。そして、再び図１０に示すようにフレーム受信制御部２５ｃがリモコン受信部３４でのリモコン信号の検出を開始し（ステップＳ４４）、リモコン信号を受信して、受信したリモコン信号に含まれるデータをＲＡＭ２７へ保存する（ステップＳ４５）。なお、このとき、タイマー２８が動作を開始していなければ、図１０に示したステップＳ４３は省略される。その後、ＣＰＵ２５はＲＡＭ２７へ保存されたデータに対応する操作をフォトプリンター１に行う。
【００４７】
以上のように、この実施形態では、リモコン受信部３４と隣接してＩｒＤＡ信号検出部３５が配置されるので、リモコン受信部３４に向けてユーザーがＩｒＤＡ信号を送信した場合であっても、ＩｒＤＡ信号検出部３５によりＩｒＤＡ信号が検出されて、ユーザーがリモコン受信部３４に向けてＩｒＤＡ信号を送信しているという誤操作が有ることを容易に判定することができる。また、ＩｒＤＡ受信部３２と隣接してリモコン信号検出部３３が配置されるので、ＩｒＤＡ受信部３２に向けてユーザーがリモコン信号を送信した場合であっても、リモコン信号検出部３３によりリモコン信号が検出されて、ユーザーがＩｒＤＡ受信部３２に向けてリモコン信号を送信しているという誤操作が有ることを容易に判定することができる。また、ユーザーに対して誤操作有りが報知されるので、ユーザーは自身の誤操作を容易に認識することができる。
【００４８】
また、ＩｒＤＡ信号検出部３５は、ＩｒＤＡ信号には含まれるがリモコン信号には含まれないＢＯＦ部を検出するので、ＩｒＤＡ信号検出部３５がリモコン受信部３４と隣接して配置されていても、ＩｒＤＡ信号検出部３５により容易にＩｒＤＡ信号を検出することができる。また、ＢＯＦ部は送信されるＩｒＤＡ信号のフレームの先頭部分であり、ＩｒＤＡ信号検出部３５により最初に受信される部分であるため、ユーザーの誤操作有りを素早く判定することができる。また、リモコン信号に含まれＩｒＤＡ信号には含まれないリーダーコード部を検出するので、リモコン信号検出部３３がＩｒＤＡ受信部３２と隣接して配置されていても、リモコン信号検出部３３により容易にリモコン信号を検出することができる。また、リーダーコード部は送信されるリモコン信号のフレームの先頭部分であり、リモコン信号検出部３３により最初に受信される部分であるため、ユーザーの誤操作有りを素早く判定することができる。
【００４９】
さらに、タイマー２８がＩｒＤＡ信号に含まれるＢＯＦ部またはリモコン信号に含まれるリーダーコード部の送信時間内に停止しなかったときに誤操作有りと判定されるので、ユーザーの誤操作有りを素早く判定することができる。
【００５０】
また、リモコン信号やＩｒＤＡ信号の誤操作を行っていることをユーザー自身が容易に認識することができるフォトプリンター１を提供することができる。また、表示手段に誤操作有りが表示されるので、ユーザーは容易に誤操作を行っていることを確認することができる。さらに、誤操作を認識したユーザーは、表示部２２に表示された説明用画像の説明に従って容易に正常な操作を行うことができる。
【００５１】
なお、本発明は上記した実施形態に限定されるものではなく、その趣旨を逸脱しない限りにおいて上述したもの以外に種々の変更を行うことが可能である。例えば、本発明にかかる情報処理装置は、フォトプリンター１に限らず、ＦＡＸやスキャナーなどを備えた複合機としての印刷装置や、テレビ、プロジェクターなどその他の装置に適用してもよい。
【００５２】
また、上記した実施形態のタイマー制御部２５ａ、誤操作判定部２５ｂ、フレーム受信制御部２５ｃ、報知制御部２５ｄ、タイマー２８は、ＩｒＤＡ通信方式および従来からの赤外線通信方式で共通して使用してもよいし、各通信方式ごとに別々の構成としてもよい。
【００５３】
また、上記した実施形態では、ユーザーの誤操作を報知画像により表示部２２に表示して報知したが、その他の報知手段や方法によりユーザーの誤操作を報知してもよい。さらに、上記した実施形態では、ユーザーの誤操作の判定にタイマー２８を使用したが、その他の手段や方法によりユーザーの誤操作の判定を行ってもよい。
【符号の説明】
【００５４】
１…フォトプリンター（印刷装置）、  １０…コントローラー（情報処理装置）、  １８…電子機器（ＩｒＤＡ通信機器）、  １９…赤外線リモコン、  ２２…表示部（報知手段、表示手段）、  ２５ｂ…誤操作判定部（判定手段）、  ２５ｄ…報知制御部（制御手段）、  ２８…タイマー、  ３２…ＩｒＤＡ受信部、  ３３…リモコン信号検出部、  ３４…リモコン受信部、  ３５…ＩｒＤＡ信号検出部
【図１】
2010184402.tif 000003
【図２】
2010184402.tif 000004
【図３】
2010184402.tif 000005
【図４】
2010184402.tif 000006
【図５】
2010184402.tif 000007
【図６】
2010184402.tif 000008
【図７】
2010184402.tif 000009
【図８】
2010184402.tif 000010
【図９】
2010184402.tif 000011
【図１０】
2010184402.tif 000012
【図１１】
2010184402.tif 000013